(57)【要約】【課題】鋼材とシアコネクタとが互いに障害とならないように備えられたプレキャストパネルを提供する。【解決手段】表面仕上げ材を備えたプレキャストパネルであって、前記表面仕上げ材が取り付けられるパネル体と、前記パネル体に埋設されたＰＣ鋼線と、前記表面仕上げ材の裏面側に係合される仕上げ材係合部及び前記ＰＣ鋼線に係合される鋼線係合部を有するシアコネクタと、を備えている。【選択図】図３
2011031529.tif 000002
【特許請求の範囲】
【請求項１】
表面仕上げ材を備えたプレキャストパネルであって、
前記表面仕上げ材が取り付けられるパネル体と、
前記パネル体に埋設されたＰＣ鋼線と、
前記表面仕上げ材の裏面側に係合される仕上げ材係合部及び前記ＰＣ鋼線に係合される鋼線係合部を有するシアコネクタと、
を備えていることを特徴とするプレキャストパネル。
【請求項２】
請求項１に記載のプレキャストパネルであって、
前記ＰＣ鋼線には、当該ＰＣ鋼線が縮む方向の応力が導入されていることを特徴とするプレキャストパネル。
【請求項３】
請求項２に記載のプレキャストパネルであって、
前記応力は、製造時に予め導入されたプレストレスであることを特徴とするプレキャストパネル。
【請求項４】
請求項１乃至請求項３のいずれかに記載のプレキャストパネルであって、
前記パネル体は前記ＰＣ鋼線が埋設されている方向に沿って中空部が設けられていることを特徴とするプレキャストパネル。
【請求項５】
請求項１乃至請求項４のいずれかに記載のプレキャストパネルであって、
前記パネル体はゼロスランプコンクリートにて形成されていることを特徴とするプレキャストパネル。
【発明の詳細な説明】
【技術分野】
【０００１】
本発明は、表面仕上げ材を備えたプレキャストパネルに関する。
【背景技術】
【０００２】
表面仕上げ材を備えたプレキャストパネルとしては、例えば表面材として石板等の外装用パネルが表面に露出されたプレキャストパネルが知られている（例えば、特許文献１参照）。このような、プレキャストパネルは、外装用パネルの裏面に設けられたシアコネクタがコンクリート内に埋設されている。
【先行技術文献】
【特許文献】
【０００３】
【特許文献１】特公平６−６１７４９号公報
【発明の概要】
【発明が解決しようとする課題】
【０００４】
プレキャストパネルには、強度を確保したり、ひび割れの発生を抑える目的で鋼線等の鋼材が埋設されたものが存在する。このような、鋼材が埋設されたプレキャストパネルに外装用パネルを備える場合には、鋼材とシアコネクタとが干渉して外装材パネルが取り付けられなかったり、鋼材とシアコネクタとが互いに障害とならないように互いに避けて配置しなければならず、プレキャストパネルの製造が煩雑であるという課題がある。
【０００５】
本発明は、上記課題に鑑みてなされたものであり、その目的とするところは、鋼材とシアコネクタとが互いに障害とならないように備えられたプレキャストパネルを提供することにある。
【課題を解決するための手段】
【０００６】
かかる目的を達成するために本発明の表面仕上げ材を備えたプレキャストパネルであって、前記表面仕上げ材が取り付けられるパネル体と、前記パネル体に埋設されたＰＣ鋼線と、前記表面仕上げ材の裏面側に係合される仕上げ材係合部及び前記ＰＣ鋼線に係合される鋼線係合部を有するシアコネクタと、を備えていることを特徴とするプレキャストパネルである。  
このようなプレキャストパネルによれば、シアコネクタが仕上げ材係合部と鋼線係合部とを有しており、ＰＣ鋼線と鋼線係合部とが予め係合するように構成されているので、ＰＣ鋼線及びシアコネクタを配設する際にＰＣ鋼線とシアコネクタとの干渉を考慮しなくて良い。このため、表面仕上げ材を強固に取り付けることが可能であり、かつ、製造性にも優れた高強度のプレキャストパネルを提供することが可能である。
【０００７】
かかるプレキャストパネルであって、前記ＰＣ鋼線には、当該ＰＣ鋼線が縮む方向の応力が導入されていることが望ましい。  
このようなプレキャストパネルによれば、パネル体内に埋設されたＰＣ鋼線に、ＰＣ鋼線が縮む方向の応力が導入されているので、高い強度を有するとともにひび割れの発生を抑えたパネル体に表面仕上げ材が強固に取り付けられたプレキャストパネルを提供することが可能である。
【０００８】
かかるプレキャストパネルであって、前記応力は、製造時に予め導入されたプレストレスであることが望ましい。  
このようなプレキャストパネルによれば、プレストレスが導入されて、表面仕上げ材が強固に設けられたプレキャストパネルを提供することが可能である。
【０００９】
かかるプレキャストパネルであって、前記パネル体は前記ＰＣ鋼線が埋設されている方向に沿って中空部が設けられていることが望ましい。  
このようなプレキャストパネルによれば、パネル体は前記ＰＣ鋼線が埋設されている方向に沿って中空部が設けられているので、パネル体には中空部がＰＣ鋼線と平行に形成されている。このため、ＰＣ鋼線及びＰＣ鋼線に係合されたシアコネクタを、中空部に突出させることなく、パネル体内に埋設させることが可能である。よって、中空部を備えた軽量な構造としつつも、表面仕上げ材がパネル体に強固に固定されたプレキャストパネルを提供することが可能である。
【００１０】
かかるプレキャストパネルであって、前記パネル体はゼロスランプコンクリートにて形成されていることを特徴とすることが望ましい。  
このようなプレキャストパネルによれば、コンクリートがゼロスランプコンクリートなので、流動性が低く製造時に形状が崩れにくく短時間にて脱型することが可能である。また、形状が崩れにくいので、中空部を有するプレキャストパネルの製造により適している。
【発明の効果】
【００１１】
本発明によれば、鋼材とシアコネクタとが互いに障害とならないように備えられたプレキャストパネルを提供することが可能である。
【図面の簡単な説明】
【００１２】
【図１】本実施形態に係るプレキャストパネルを示す斜視図である。
【図２】ＰＣ鋼より線に係合されたシアコネクタを示す斜視図である。
【図３】幅方向に沿って切断したプレキャストパネルの断面図である。
【図４】図３のＡ−Ａ断面図である。
【図５】ＰＣ鋼より線、シアコネクタ、石材の配置を説明するための図である。
【図６】プレキャストパネルの製造手順を示す図である。
【図７】シアコネクタの第１変形例を示す斜視図である。
【図８】シアコネクタの第２変形例を示す斜視図である。
【図９】シアコネクタの第３変形例を示す斜視図である。
【図１０】図９のＢ矢視図である。
【図１１】シアコネクタの第４変形例を示す斜視図である。
【図１２】シアコネクタの第５変形例を示す斜視図である。
【発明を実施するための形態】
【００１３】
以下、本発明に係るプレキャストパネルの一例について図を用いて詳細に説明する。
【００１４】
図１は、本実施形態に係るプレキャストパネルを示す斜視図である。  
本実施形態のプレキャストパネル１は、例えば縦（長手方向長さ）３ｍ、横（幅）１．２ｍの大型のプレキャストパネル１であって、長手方向に貫通する複数の中空部としての中空孔１ａを有するパネル体としてのコンクリートパネル体１０と、コンクリートパネル体１０の一方の面に固定されている表面仕上げ材としての板状の複数の石材２０と、コンクリートパネル体１０に埋設されて当該コンクリートパネル体１０に石材２０を固定するシアコネクタ３０（図２、図３）と、を有している。複数の中空孔１ａは、コンクリートパネル体１０の幅方向に互いに間隔を隔てるとともに並べて形成されている。
【００１５】
コンクリートパネル体１０は、製造時に中空孔１ａを形成するための中空層用鋼製型枠３を厚み方向における中央付近に配置するために、厚み方向において中空孔１ａを分割する２つの層と、石材２０が設けられない側の全面を覆う層との３層構造をなしている。すなわち、石材２０が設けられる表層１１と、石材２０とは反対側の面をなす裏層１３と、表層１１と裏層１３との間に設けられる中間層１２とで構成されている。そして、中空孔１ａを形成している表層１１と中間層１２とには、コンクリート打設時に中空孔１ａが形成し易いように流動性が低いゼロスランプコンクリートが用いられ、裏層１３には滑らかな表面を形成するためにゼロスランプコンクリートより流動性が高いコンクリートが用いられている。
【００１６】
また、コンクリートパネル体１０は、幅方向において、複数の中空孔１ａのうち隣接する中空孔１ａ間に、ＰＣ鋼線としてのＰＣ鋼より線１５が、コンクリートパネル体１０の長手方向に沿って設けられている。ＰＣ鋼より線１５は、コンクリートパネル体１０の厚み方向に、互いに間隔を隔てて２本設けられており、これらのＰＣ鋼より線１５には、当該ＰＣ鋼より線１５が縮む方向に応力が作用している。すなわち、コンクリートパネル体１０は、埋設されているＰＣ鋼より線１５に、当該ＰＣ鋼より線１５が縮む方向の応力が導入されたプレストレスコンクリートパネルである。
【００１７】
そして、コンクリートパネル体１０に埋設されたＰＣ鋼より線１５には、後述する複数のシアコネクタ３０が係合され、シアコネクタ３０も石材２０と係合する仕上げ材係合部３１を除きコンクリートパネル体１０内に埋設されている。
【００１８】
図２は、ＰＣ鋼より線に係合されたシアコネクタを示す斜視図である。図３は、幅方向に沿って切断したプレキャストパネルの断面図であり、図４は、図３のＡ−Ａ断面図である。
【００１９】
本実施形態のシアコネクタ３０は、図２に示すように、ＰＣ鋼より線１５に係合される鋼線係合部３２と、石材２０の裏面２０ａ側に係合される仕上げ材係合部３１と、を有している。ＰＣ鋼より線１５に係合される鋼線係合部３２は、ＰＣ鋼より線１５が貫通する筒状の部位である。仕上げ材係合部３１は、鋼線係合部３２の、ＰＣ鋼より線１５が貫通される筒状の部位の両端から突出される棒状の部位である。
【００２０】
図３及び図４に示すように、筒状をなす鋼線係合部３２の内径はＰＣ鋼より線１５の直径より十分大きいため、鋼線係合部３２にＰＣ鋼より線１５が貫通されると、仕上げ材係合部３１は自重により鋼線係合部３２の下方に配置されるとともに、シアコネクタ３０はＰＣ鋼より線１５に沿ってスライド可能に係合される。
【００２１】
仕上げ材係合部３１は、シアコネクタ３０がＰＣ鋼より線１５に係合された状態にて、鋼線係合部３２の両端から、下方且つＰＣ鋼より線１５が貫通する方向に沿い互いに離れる方向に、水平方向に対し約４５度の角度をなして延び、途中で折れ曲がっている。仕上げ材係合部３１の折れ曲がった部位より下端側は、下方且つＰＣ鋼より線１５が貫通する方向において、互いに近づく側に延びている。このように、鋼線係合部３２の両端に設けられた２本の仕上げ材係合部３１は、ほぼ９０度に屈曲された鍵状をなし、折れ曲がった角部３１ａが互いに離れる方向に向くように形成されている。
【００２２】
鋼線係合部３２の両端に設けられた２本の仕上げ材係合部３１は、上方から見ると鋼線係合部３２に貫通されたＰＣ鋼より線１５と平行に配置され、ほぼ直線状に形成されている。
【００２３】
石材２０は、例えば一辺が０．６ｍの正方形状をなし、コンクリートパネル体１０の表面側に並べて配置される。このとき互いに隣接する石材２０間には、目地が形成されるべく、僅かな間隔を隔てて配置されている。石材２０の裏面２０ａ、すなわちコンクリートパネル体１０と一体に形成された際にコンクリートパネル体１０の表層１１と対向する面には、コンクリートパネル体１０に埋設されたシアコネクタ３０の仕上げ材係合部３１が係合される係合孔２２が複数設けられている。この係合孔２２には、前述したシアコネクタ３０が有する棒状の仕上げ材係合部３１が係合される。このため、係合孔２２は、コンクリートパネル体１０に埋設されるＰＣ鋼より線１５に沿う方向に、石材２０の裏面２０ａに対しほぼ４５度の角度をなして形成されており、シアコネクタ３０の２本の仕上げ材係合部３１が挿入されるように対をなして形成されている。このため、係合孔２２は、コンクリートパネル体１０に埋設されるＰＣ鋼より線１５に沿うように同一の方向に並べて形成されている。
【００２４】
このようなプレキャストパネル１は、以下の手順にて製造される。図５は、ＰＣ鋼より線、シアコネクタ、石材の配置を説明するための図である。図６は、プレキャストパネルの製造手順を示す図である。
【００２５】
まず、成形台５上に石材２０を、石材２０の裏面２０ａを上方に向けて並べて配置する。このとき、石材２０の裏面２０ａに設けられた係合孔２２が、形成されるプレキャストパネル１の長手方向に沿うように各石材２０を配置する。
【００２６】
次に、成形台５上に載置された石材２０の上方に、プレキャストパネル１の幅方向に適宜間隔を隔てるとともに、上下方向に２段となるようにＰＣ鋼より線１５を配置する。このとき、少なくとも石材２０に設けられた係合孔２２の上方にはＰＣ鋼より線１５が位置するように配置するとともに、係合孔２２の上方に配置されたＰＣ鋼より線１５のうち下段側のＰＣ鋼より線１５には、シアコネクタ３０を鋼線係合部３２にＰＣ鋼より線１５を貫通させて備えておく。本実施形態では、各係合孔２２の上方に配置された複数のＰＣ鋼より線１５の間に１本ずつＰＣ鋼より線１５を配置させている。また、幅方向に２枚の石材２０を並べているが、２枚の石材２０の境界近傍では、ＰＣ鋼より線１５の幅方向における間隔が狭くなるため、ＰＣ鋼より線１５は厚み方向に１本だけ配置している。
【００２７】
次に、配置されたＰＣ鋼より線１５にプレストレスを導入させて緊張させる。ＰＣ鋼より線１５を緊張した後に、ＰＣ鋼より線１５に通してあるシアコネクタ３０をスライドさせ、各石材２０の係合孔２２にシアコネクタ３０の仕上げ材係合部３１を係合させる。
【００２８】
次に、長手方向においてコンクリートを打設する領域の、形成されるプレキャストパネル１の幅側の両端部に互いに対向するように型枠７を配置し、型枠７間の石材２０上にゼロスランプコンクリートを打設して表層１１を形成する。このとき、下段側のＰＣ鋼より線１５とシアコネクタ３０とが埋まる程度にゼロスランプコンクリートを打設し、各ＰＣ鋼より線１５が埋設された部位が尾根状に持ち上がり、各ＰＣ鋼より線１５間が少し窪むように均しておく。
【００２９】
次に、各ＰＣ鋼より線１５間の窪みに、中空孔１ａを形成するための中空層用鋼製型枠３を、表層１１上に間隔を隔てて配置する。表層１１上に中空層用鋼製型枠３を配置した後に、表層１１及び中空層用鋼製型枠３上にゼロスランプコンクリートを打設して中間層１２を形成する。このとき、上段のＰＣ鋼より線１５及び中空層用鋼製型枠３が十分埋まるようにゼロスランプコンクリートを打設する。中間層１２を形成することにより、表層１１と中間層１２とに亘って中空孔１ａが形成される。
【００３０】
最後に、中間層１２の上に、ゼロスランプコンクリートより流動性の高いコンクリートを全面に打設し、打設したコンクリートの上面を平坦に均して裏層１３を形成する。
【００３１】
上記の工程は、形成されるプレキャストパネル１の、ある位置に注目して順次行われる工程を説明しているが、本プレキャストパネル１は、幅方向に対し長手方向の長さが十分に長く、また、複数枚分のプレキャストパネル１を一度に成型するため、形成されるプレキャストパネルの長手方向に型枠７及び中空層用鋼製型枠３を移動させつつコンクリートを順次打設して形成する。このため、ゼロスランプコンクリートを用いることにより、型枠７及び中空層用鋼製型枠３が移動してもプレキャストパネル１の形状及び中空孔１ａの形状を維持することが可能である。そして、できあがったプレキャストパネル１は、実使用上のサイズより長いため、成型後に適宜長さにて切断してプレキャストパネル１が完成する。
【００３２】
本実施形態のプレキャストパネル１によれば、シアコネクタ３０が仕上げ材係合部３１と鋼線係合部３２とを有しており、ＰＣ鋼より線１５と鋼線係合部３２とが予め係合するように構成されているので、ＰＣ鋼より線１５とシアコネクタ３０とが互いに障害とならないため、ＰＣ鋼より線１５及びシアコネクタ３０を配設する際にＰＣ鋼より線１５及びシアコネクタ３０との干渉を考慮しなくて良い。このため、石材２０が強固に設けられ、製造性にも優れた高強度のプレキャストパネル１を提供することが可能である。
【００３３】
また、コンクリートパネル体１０内に埋設されたＰＣ鋼より線１５に、ＰＣ鋼より線１５が縮む方向の応力が製造時に予め導入されているので、石材２０が強固に設けられ、高い強度を有するとともにひび割れ等の発生を抑えたプレキャストパネル１を提供することが可能である。
【００３４】
また、コンクリートパネル体１０はＰＣ鋼より線１５が埋設されている方向に沿って中空孔１ａが設けられているので、コンクリートパネル体１０には中空孔１ａがＰＣ鋼より線１５と平行に形成されている。このため、ＰＣ鋼より線１５及びＰＣ鋼より線１５に係合されたシアコネクタ３０を、中空孔１ａに突出させることなく、コンクリートパネル体１０内に埋設させることが可能である。よって、中空孔１ａを備えた軽量な構造としつつも、石材２０がコンクリートパネル体１０に強固に固定されたプレキャストパネル１を提供することが可能である。
【００３５】
また、コンクリートパネル体１０の表層１１及び中間層１２を形成するコンクリートがゼロスランプコンクリートなので、流動性が低く製造時に形状が崩れにくいので、中空孔１ａを有するプレキャストパネル１により適しており、短時間にて脱型することが可能なので、所定方向に長いプレキャストパネル１を、型枠７等を移動させつつ容易に形成することが可能である。
【００３６】
上記実施形態においては、シアコネクタ３０が、筒状の鋼線係合部３２と棒状の仕上げ材係合部３１とを有する例について説明したがこれに限るものではない。図７は、シアコネクタの第１変形例を示す斜視図である。図８は、シアコネクタの第２変形例を示す斜視図である。図９は、シアコネクタの第３変形例を示す斜視図である。図１０は、図９のＢ矢視図である。図１１は、シアコネクタの第４変形例を示す斜視図である。図１２は、シアコネクタの第５変形例を示す斜視図である。
【００３７】
シアコネクタ３０は、例えば、図７、図８に示すように、鋼線係合部３２が環状をなしておらず、ＰＣ鋼より線１５に引っ掛けて係合させる形態であっても良い。また、２本の仕上げ材係合部３１が、ＰＣ鋼より線１５の両側に位置するように、ＰＣ鋼より線１５を挟むように設けられる形態であっても構わない。このとき、例えば図１０に示すように、ほぼ環状をなす鋼線係合部３２の端部３２ａが僅かに間隔を隔てて屈曲され、その先に２本の仕上げ材係合部３１が形成されていても良い。この場合には、ほぼ環状をなす鋼線係合部３２の端部間からＰＣ鋼より線１５を鋼線係合部３２が形成する環の内側に入れることにより、ＰＣ鋼より線１５と係合しやすく、且つ、外れにくいシアコネクタ３０を実現することが可能である。また、図１１に示すように、鋼線係合部３２をほぼ２巻きして形成すると、より外れにくいシアコネクタ３０を実現することが可能である。
【００３８】
また、上記実施形態及び各変形例は、係合されるＰＣ鋼より線１５と仕上げ材係合部３１とが平行をなすように形成されている例について説明したが、図１２に示すように、ＰＣ鋼より線１５と仕上げ材係合部３１とが交差するように形成されていてもよい。
【００３９】
上記実施形態においては、表面仕上げ材が取り付けられるパネル体をコンクリートにて形成する例について説明したが、コンクリートに限らず、例えばモルタルであっても構わない。
【００４０】
また、上記実施形態においては、表面仕上げ材として石材を用いた例について説明したが、表面仕上げ材は例えば大型タイル等でも構わない。
【００４１】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４２】
１  プレキャストパネル
１ａ  中空孔
３  中空層用鋼製型枠
５  成形台
７  型枠
１０  コンクリートパネル体
１１  表層
１２  中間層
１３  裏層
１５  ＰＣ鋼より線
２０  石材
２０ａ  石材の裏面
２２  係合孔
３０  シアコネクタ
３１  仕上げ材係合部
３１ａ  角部
３２  鋼線係合部
３２ａ  端部
【図１】
2011031529.tif 000003
【図２】
2011031529.tif 000004
【図３】
2011031529.tif 000005
【図４】
2011031529.tif 000006
【図６】
2011031529.tif 000007
【図７】
2011031529.tif 000008
【図８】
2011031529.tif 000009
【図９】
2011031529.tif 000010
【図１０】
2011031529.tif 000011
【図１１】
2011031529.tif 000012
【図１２】
2011031529.tif 000013
【図５】
2011031529.tif 000014